(57)【要約】【課題】ロール状の家庭用薄葉紙及び積層状の家庭用薄葉紙の両方の収納と取り出しを好適に行うことができる家庭用薄葉紙収納容器を提供する。【解決手段】家庭用薄葉紙収納容器１００において、容器本体１０に、家庭用薄葉紙Ｐを載置する載置面４１ａを有し、当該載置面４１ａに載置された家庭用薄葉紙Ｐの自重により弾性変形することで、ロール状の家庭用薄葉紙Ｐと交互に折り畳まれた積層状の家庭用薄葉紙Ｐとの何れも載置可能に構成された載置部４０を備え、載置部４０は、載置面４１ａに載置された家庭用薄葉紙Ｐの自重が減るにつれて復元することで、当該載置面４１ａの位置が取出口１４１の方向に移動するように構成されている。【選択図】図５
2010083517.tif 000002
【特許請求の範囲】
【請求項１】
家庭用薄葉紙を内側に収納するとともに、上面に前記家庭用薄葉紙の取出口を有する容器本体を備える家庭用薄葉紙収納容器であって、
前記容器本体は、前記家庭用薄葉紙を載置する載置面を有し、当該載置面に載置された前記家庭用薄葉紙の自重により弾性変形することで、ロール状の家庭用薄葉紙と交互に折り畳まれた積層状の家庭用薄葉紙との何れも載置可能に構成された載置部を備え、
前記載置部は、前記載置面に載置された前記家庭用薄葉紙の自重が減るにつれて復元することで、当該載置面の位置が前記取出口の方向に移動するように構成されていることを特徴とする家庭用薄葉紙収納容器。
【請求項２】
前記載置部は、
平板状の弾性材料により構成され、前記載置面を有する載置部材と、
前記載置部材を前記取出口の方向に押し上げるように弾性的に支持する弾性部材と、
を備えることを特徴とする請求項１に記載の家庭用薄葉紙収納容器。
【請求項３】
前記載置部は、
前記載置面を有する一つの弾性部材により構成され、
前記載置面に載置された前記家庭用薄葉紙の自重により弾性変形するとともに、当該載置面に載置された前記家庭用薄葉紙の自重が減るにつれて復元することで、当該載置面の位置が前記取出口の方向に移動することを特徴とする請求項１に記載の家庭用薄葉紙収納容器。
【請求項４】
前記載置部は、
前記載置面を有する複数の弾性部材により構成され、
前記載置面に載置された前記家庭用薄葉紙の自重により弾性変形するとともに、当該載置面に載置された前記家庭用薄葉紙の自重が減るにつれて復元することで、当該載置面の位置が前記取出口の方向に移動することを特徴とする請求項１に記載の家庭用薄葉紙収納容器。
【請求項５】
前記取出口は、前記容器本体に収納されたロール状の家庭用薄葉紙のロール軸方向に対して平行とならない方向に切り込まれた形状をなしていることを特徴とする請求項１〜４の何れか一項に記載の家庭用薄葉紙収納容器。
【発明の詳細な説明】
【技術分野】
【０００１】
本発明は、家庭用薄葉紙収納容器に関する。
【背景技術】
【０００２】
従来、家屋の床やトイレ、或いは人体などを拭くための家庭用薄葉紙を収納する家庭用薄葉紙収納容器が知られている。
このような家庭用薄葉紙収納容器には、ロール状の家庭用薄葉紙（例えば、ロール状に巻回されたウェットシートやウェットティッシュ等のロールペーパー）用の家庭用薄葉紙収納容器や、交互に折り重ねられた積層状の家庭用薄葉紙用の家庭用薄葉紙収納容器等がある（例えば、特許文献１、特許文献２参照）。
【特許文献１】特開２００５−２７１９８０号公報
【特許文献２】実開平５−３１７１号公報
【発明の開示】
【発明が解決しようとする課題】
【０００３】
しかしながら、上述の家庭用薄葉紙収納容器は、ロール状の家庭用薄葉紙又は積層状の家庭用薄葉紙の何れか一方を収納するための容器であり、ロール状の家庭用薄葉紙と積層状の家庭用薄葉紙とに兼用して、ロール状の家庭用薄葉紙と積層状の家庭用薄葉紙との両方の収納や取り出しを好適に行うものではなかった。
すなわち、ロール状の家庭用薄葉紙用の家庭用薄葉紙収納容器は、一般的に、蓋体を閉じた状態で外形が筒型状に形成されているため、直方体形状に積層された家庭用薄葉紙を収納すると、家庭用薄葉紙が容器の底面形状に沿って屈曲することとなり、積層状の家庭用薄葉紙の収納や取り出しには適していない。一方、積層状の家庭用薄葉紙用の家庭用薄葉紙収納容器は、一般的に、蓋体を閉じた状態で外形が箱型状に形成されており、ロール状の家庭用薄葉紙を収納すると、家庭用薄葉紙が容器内部で動いて安定して保持されず、取り出しをスムーズに行うことができないという問題があった。
【０００４】
本発明の課題は、ロール状の家庭用薄葉紙及び積層状の家庭用薄葉紙の両方の収納を好適に行うことができる家庭用薄葉紙収納容器を提供することである。
【課題を解決するための手段】
【０００５】
上記課題を解決するため、請求項１に記載の発明は、家庭用薄葉紙を内側に収納するとともに、上面に前記家庭用薄葉紙の取出口を有する容器本体を備える家庭用薄葉紙収納容器であって、
前記容器本体は、前記家庭用薄葉紙を載置する載置面を有し、当該載置面に載置された前記家庭用薄葉紙の自重により弾性変形することで、ロール状の家庭用薄葉紙と交互に折り畳まれた積層状の家庭用薄葉紙との何れも載置可能に構成された載置部を備え、
前記載置部は、前記載置面に載置された前記家庭用薄葉紙の自重が減るにつれて復元することで、当該載置面の位置が前記取出口の方向に移動するように構成されていることを特徴とする。
【０００６】
請求項２に記載の発明は、請求項１に記載の家庭用薄葉紙収納容器において、前記載置部は、
平板状の弾性材料により構成され、前記載置面を有する載置部材と、
前記載置部材を前記取出口の方向に押し上げるように弾性的に支持する弾性部材と、
を備えることを特徴とする。
【０００７】
請求項３に記載の発明は、請求項１に記載の家庭用薄葉紙収納容器において、前記載置部は、
前記載置面を有する一つの弾性部材により構成され、
前記載置面に載置された前記家庭用薄葉紙の自重により弾性変形するとともに、当該載置面に載置された前記家庭用薄葉紙の自重が減るにつれて復元することで、当該載置面の位置が前記取出口の方向に移動することを特徴とする。
【０００８】
請求項４に記載の発明は、請求項１に記載の家庭用薄葉紙収納容器において、前記載置部は、
前記載置面を有する複数の弾性部材により構成され、
前記載置面に載置された前記家庭用薄葉紙の自重により弾性変形するとともに、当該載置面に載置された前記家庭用薄葉紙の自重が減るにつれて復元することで、当該載置面の位置が前記取出口の方向に移動することを特徴とする。
【０００９】
請求項５に記載の発明は、請求項１〜４の何れか一項に記載の家庭用薄葉紙収納容器において、前記取出口は、前記容器本体に収納されたロール状の家庭用薄葉紙のロール軸方向に対して平行とならない方向に切り込まれた形状をなしていることを特徴とする。
【発明の効果】
【００１０】
請求項１に記載の発明によれば、載置部は、載置面に載置された家庭用薄葉紙の自重により弾性変形するように構成されているため、ロール状の家庭用薄葉紙と積層状の家庭用薄葉紙との何れも安定的に保持することができる。また、載置部は、載置面に載置された家庭用薄葉紙の自重が減るにつれて、載置面の位置が取出口の方向に移動するように復元するため、家庭用薄葉紙を常に取出口に近接した位置に保つことができる。これにより、ロール状の家庭用薄葉紙と積層状の家庭用薄葉紙との取り出しの何れも、スムーズに行うことができることとなり、ロール状の家庭用薄葉紙及び積層状の家庭用薄葉紙の両方を好適に収納することが可能となる。
【００１１】
請求項２に記載の発明によれば、請求項１に記載の発明の効果が得られるのは無論のこと、載置部が、平板状の弾性材料により構成され、載置面を有する載置部材と、載置部材を取出口の方向に押し上げるように弾性的に支持する弾性部材と、を備えているため、簡易な構成で、ロール状の家庭用薄葉紙と積層状の家庭用薄葉紙との両方の取出性に優れた家庭用薄葉紙収納容器とすることができる。
【００１２】
請求項３に記載の発明によれば、請求項１に記載の発明の効果が得られるのは無論のこと、載置部が、載置面を有し、載置面に載置された家庭用薄葉紙の自重により弾性変形するとともに、載置面に載置された家庭用薄葉紙の自重が減るにつれて復元する一つの弾性部材により構成されているため、簡易な構成で、ロール状の家庭用薄葉紙と積層状の家庭用薄葉紙との両方の取出性に優れた家庭用薄葉紙収納容器とすることができる。
【００１３】
請求項４に記載の発明によれば、請求項１に記載の発明の効果が得られるのは無論のこと、載置部が、載置面を有し、載置面に載置された家庭用薄葉紙の自重により弾性変形するとともに、載置面に載置された家庭用薄葉紙の自重が減るにつれて復元する複数の弾性部材により構成されているため、簡易な構成で、ロール状の家庭用薄葉紙と積層状の家庭用薄葉紙との両方の取出性に優れた家庭用薄葉紙収納容器とすることができる。
【００１４】
請求項５に記載の発明によれば、請求項１〜４の何れか一項に記載の発明の効果が得られるのは無論のこと、取出口は、容器本体に収納されたロール状の家庭用薄葉紙のロール軸方向に対して平行とならない方向に切り込まれた形状をなしているため、ロール状の家庭用薄葉紙の取り出しに際して、取出口に摩擦力が作用することとなる。これにより、ロール状の家庭用薄葉紙の切断を好適に行うことができ、ロール状の家庭用薄葉紙の取り出しを更にスムーズに行うことができる。
【発明を実施するための最良の形態】
【００１５】
以下、図を参照して、本発明に係る家庭用薄葉紙収納容器の具体的な態様を詳細に説明する。ただし、発明の範囲は、図示例に限定されない。
【００１６】
［実施形態１］
まず、実施形態１の家庭用薄葉紙収納容器について、図１〜図７を参照しながら説明する。
ここで、図１は、本発明を適用した好適な実施形態１として例示する家庭用薄葉紙収納容器を示す斜視図である。図２は、図１の家庭用薄葉紙収納容器に、ロール状の家庭用薄葉紙を収納した状態を示す斜視図であり、図３は、図１の家庭用薄葉紙収納容器に、積層状の家庭用薄葉紙を収納した状態を示す斜視図である。図４は、実施形態１の家庭用薄葉紙収納容器に備わる底蓋の平面図である。図５は、図１の家庭用薄葉紙収納容器にロール状の家庭用薄葉紙を収納した場合におけるＡ−Ａ線での側面断面図である。図６は、図１の家庭用薄葉紙収納容器に積層状の家庭用薄葉紙を収納した場合におけるＡ−Ａ線での側面断面図である。図７は、図６の家庭用薄葉紙収納容器から家庭用薄葉紙収納容器が取り出された後における載置面の位置を説明するための図である。なお、図２、図３では、載置部は省略している。図５〜図７では、上蓋が省略されている。また、図３、図６、図７において、積層状の家庭用薄葉紙は模式的に図示されている。
なお、以下の説明では、家庭用薄葉紙収納容器の前後方向をＸ軸方向として、上蓋を回動させる回動軸が形成されている側を後側とし、その反対側を前側とする。また、左右方向をＹ軸方向とし、上下方向をＺ軸方向とする。
【００１７】
第１の実施形態の家庭用薄葉紙収納容器１００は、図１〜図７に示すように、上蓋２０を閉じた状態で角のとれた略直方体形状に形成されており、内部にウェットシートやウェットティシュ−等のウェットタイプの家庭用薄葉紙Ｐや、ティシューペーパー、キッチンペーパー、ペーパータオル等の乾式の家庭用薄葉紙Ｐを収納する。
具体的には、家庭用薄葉紙収納容器１００は、例えば、上面に家庭用薄葉紙Ｐの取出口１４１を有し、底面に底面開口１１を有する容器本体１０と、容器本体１０の上部に回動自在に設けられ、取出口１４１が形成された取出部１４を開閉する上蓋２０と、容器本体１０の底面開口１１を塞ぐ底蓋３０と、を備えて構成されている。
【００１８】
容器本体１０は、例えば、ＰＰ（ポリプロピレン）等の熱可塑性樹脂を射出成形することにより製造され、下端部に平面視にて角のとれた略長方形状を呈する底面開口１１と、周面部１２と、この周面部１２の上端に連続して形成された上面部１３と、この上面部１３に設けられ、家庭用薄葉紙Ｐを取り出すための取出部１４等を備えている。
この容器本体１０は、容器本体１０の底面開口１１を塞ぐように底蓋３０が取り付けられることで、その底蓋３０とともに家庭用薄葉紙Ｐを収納する収納部Ｓとしての空間を確保するものである。
【００１９】
容器本体１０の上面部１３の略中央には、容器本体１０の長手方向（Ｙ軸方向）の寸法が短手方向（Ｘ軸方向）よりも長くなるように形成された略長方形状の取出部１４が設けられている。
取出部１４の略中央には、収納部Ｓに収納された家庭用薄葉紙Ｐを取り出すための取出口１４１が、互いに交差する２本の切り込みにより形成されている。この取出口１４１は、ロール状に巻回された家庭用薄葉紙Ｐを引き出す際に、家庭用薄葉紙Ｐに設けられている切断用のミシン目で、家庭用薄葉紙Ｐ同士を切断する機能を果たす。また、取出口１４１は、収納部Ｓに収納された家庭用薄葉紙Ｐが引き出された後に、次の家庭用薄葉紙Ｐを挟んで保持する機能を果たす。
【００２０】
取出口１４１は、収納部Ｓにロール状の家庭用薄葉紙Ｐを収納した場合に、ロール状の家庭用薄葉紙Ｐのロール軸方向に対して平行とならない方向に切り込まれた形状をなしている。ここで、取出口１４１が、ロール状の家庭用薄葉紙Ｐのロール軸方向と平行となっている場合には、取出口１４１から家庭用薄葉紙Ｐを容器本体１０の外側に引き出す際に、取出口１４１の内周面１４１ａに作用する摩擦が不足することとなり、ミシン目で家庭用薄葉紙Ｐを好適に切断できないという不具合が生じる場合がある。また、切断が不要な積層状の家庭用薄葉紙Ｐを使用する場合であっても、取出口１４１が、シート折方向と平行となっている場合には、取出口１４１から家庭用薄葉紙Ｐを引き出す際に、取出口１４１に作用する摩擦が不足して、後続の家庭用薄葉紙が取出口１４１に保持されず、収納部Ｓ内に落ち込んでしまうという不具合が生じる場合がある。これに対し、本実施形態の家庭用薄葉紙収納容器１００では、取出口１４１がロール状の家庭用薄葉紙Ｐのロール軸方向に対して平行とならない方向に設けられているため、取出口１４１から家庭用薄葉紙Ｐを容器本体１０の外側に引き出す際に、取出口１４１の内周面１４１ａに十分な摩擦力が作用して、家庭用薄葉紙Ｐの切断や保持を確実に行うことができる。
【００２１】
容器本体１０の上面には、取出部１４を開閉するための上蓋２０が設けられている。この上蓋２０は、例えば、ＰＰ（ポリプロピレン）等の熱可塑性樹脂を射出成形することにより、容器本体１０と一体に成形されたものである。上蓋２０と容器本体１０との境界には、肉薄部２１が直線状に形成されており、この肉薄部２１を回動軸として上蓋２０が回動することにより、容器本体１０の取出口１４１が開閉するようになっている。また、取出口１４１の周囲には、上方（Ｚ軸方向上側）に延出する密閉環部１４２が形成されている。
【００２２】
上蓋２０の容器本体１０側の面には、取出部１４を閉蓋した状態にて下方（Ｚ軸方向下側）に延出する密閉環部２２が形成されており、上蓋２０を回動して容器本体１０の取出口１４１を閉蓋した場合に、上蓋２０に形成された密閉環部２２の内周面２２ａが、容器本体１０の取出口１４１の周囲に形成された密閉環部１４２の外周面１４２ａと嵌合するようになっている。これにより、収納部Ｓの気密性を高め、収納部Ｓに収納したウェットタイプの家庭用薄葉紙Ｐの乾燥を防止することができる。また、家庭用薄葉紙収納容器１００内に異物などが混入してしまうことを防ぎ、収納部Ｓに収納されている家庭用薄葉紙Ｐの汚染を防止することができる。
【００２３】
底蓋３０は、例えば、ＰＰ（ポリプロピレン）等の熱可塑性樹脂を射出成形することにより製造され、全体として平板状に形成されている。この底蓋３０は、平面視にて容器本体１０と同様の角のとれた略長方形状をなしており、容器本体１０の底面開口１１に取り付けられるように、容器本体１０の底面開口１１よりも一回り大きく形成されている。
そして、容器本体１０の底面開口１１に底蓋３０を取り付けることで、底面開口１１を塞ぐことができる一方で、底面開口１１に取り付けられた底蓋３０を取り外すことで、容器本体１０の内部を開放（露出）させることが可能になっている。
【００２４】
底蓋３０の上面部３１には、図４に示すように、家庭用薄葉紙Ｐが載置される載置部材４１と、載置部材４１を上方（Ｚ軸方向上側）に押し上げるように弾性的に支持する弾性部材４２と、が設けられている。これら載置部材４１及び弾性部材４２により、ロール状の家庭用薄葉紙Ｐと積層状の家庭用薄葉紙Ｐの何れも載置可能な載置部４０が構成される。
【００２５】
載置部材４１は、板ばね等の平板状の弾性材料により形成され、弾性部材４２を介して底蓋３０の上面部３１に取り付けられている。この載置部材４１は、上面に物体が載置されていない状態において上下面（Ｚ軸方向に直交する両面）が平坦な平板状に形成されており、この上面が、ロール状の家庭用薄葉紙Ｐと積層状の家庭用薄葉紙Ｐとの何れも載置可能な載置面４１ａとなっている。
そして、収納部Ｓに家庭用薄葉紙Ｐを収納する場合には、容器本体１０から底蓋３０を取り外して、底蓋３０に設けられた載置部材４１の載置面４１ａに家庭用薄葉紙Ｐを載置した後に、載置面４１ａに家庭用薄葉紙Ｐが載置された状態で、底蓋３０を容器本体１０に取り付けて、容器本体１０の底面開口１１を閉塞する。
【００２６】
ここで、ロール状の家庭用薄葉紙Ｐは、所定の間隔で切断用のミシン目が形成されたシート状の家庭用薄葉紙Ｐを、シート長辺方向に巻回したものである。ロール状の家庭用薄葉紙Ｐは、図２に示すように、ロール軸方向が、容器本体１０の長手方向（Ｙ軸方向）と一致する向きで収納部Ｓに収納される。
そして、このようなロール状の家庭用薄葉紙Ｐを載置部材４１の載置面４１ａに載置すると、ロール状の家庭用薄葉紙Ｐの自重がＸ軸方向中央領域に集中して作用することとなり、図５に示すように、載置部材４１が下方（Ｚ軸方向下側）に凸となるように曲線状に弾性変形する。これにより、載置部材４１の上面に載置されたロール状の家庭用薄葉紙ＰのＸ軸方向への移動が制限され、ロール状の家庭用薄葉紙Ｐが安定した姿勢で保持される。したがって、ロール状の家庭用薄葉紙Ｐを取出口１４１から引き出す際に、ロール状の家庭用薄葉紙Ｐの回転軸がぶれず、取出口１４１からの取り出しをスムーズに行うことができる。
【００２７】
また、積層状の家庭用薄葉紙Ｐは、略方形状をなす複数の家庭用薄葉紙Ｐを、取出口１４１から継続して取り出せるように、使用単位毎に交互に折り重ねた状態で積層したものである。積層状の家庭用薄葉紙Ｐは、図３に示すように、シート折方向である積層体の長辺方向が、容器本体１０の長手方向（Ｙ軸方向）と一致する向きで収納部Ｓに収納される。そして、積層状の家庭用薄葉紙Ｐを取出口１４１から容器本体１０の外側へ引き出すと、収納部Ｓから次の家庭用薄葉紙Ｐの上端が取出口１４１よりも突出する位置まで引き出されるようになっている。なお、積層状の家庭用薄葉紙Ｐとして、防湿性のシートを略直方体形状に形成した包装体本体に家庭用薄葉紙Ｐの積層体を内包してなる薄葉紙包装体を用いても良い。
そして、このような積層状の家庭用薄葉紙Ｐを載置部材４１の載置面４１ａに載置すると、家庭用薄葉紙Ｐの自重が載置面４１ａに略均一に作用することとなり、図６に示すように、載置部材４１は平板状のまま維持される。これにより、積層状の家庭用薄葉紙Ｐは、その底面が平坦な状態のまま、安定した姿勢で保持され、取出口１４１からの取り出しをスムーズに行うことができる。
【００２８】
弾性部材４２は、載置部材４１の下面（裏面）と底蓋３０の上面部３１との間に取り付けられ、例えば、図４に示すように、載置部材４１の下面（裏面）の二つの対角線上であって中心から等距離の位置に計４つ配置されている。
この弾性部材４２は、例えば、略同一のばね係数を有するコイルばね等から構成されており、載置部材４１の載置面４１ａと上方（Ｚ軸方向上側）との直交性を保持しつつ、取出口１４１の方向（Ｚ軸方向上側）に向けて、載置部材４１を押し上げるようになっている。
【００２９】
これらの弾性部材４２は、載置部材４１の載置面４１ａに家庭用薄葉紙Ｐが載置されている場合に、家庭用薄葉紙Ｐの自重により弾性変形し、下方（Ｚ軸方向下側）に縮退する。そして、収納部Ｓに収納された家庭用薄葉紙Ｐが取出口１４１から容器本体１０の外側へ引き出されると、載置部材４１に載置された残りの家庭用薄葉紙Ｐの重量は家庭用薄葉紙Ｐが引き出された分だけ減少するため、図７に示すように、弾性部材４２が、復元力により上方（Ｚ軸方向上側）に延伸して、載置部材４１の載置面４１ａの位置を取出口１４１の方向（Ｚ軸方向上側）に移動させ、載置面４１ａに載置された家庭用薄葉紙Ｐを取出口１４１の方向（Ｚ軸方向上側）に持ち上げるようになっている。
そのため、載置部材４１に載置された家庭用薄葉紙Ｐはそれぞれ均等に持ち上げられ、その複数枚のうち最上方に位置する家庭用薄葉紙Ｐと、取出口１４１とのＺ軸方向の距離は、家庭用薄葉紙Ｐが引き出された枚数に関係なく、ほぼ一定に保たれることとなる。したがって、ユーザは常に家庭用薄葉紙Ｐを容易に取り出すことが可能となる。
なお、弾性部材４２の材料は、ばねに限られることなく、例えば、スポンジにより構成されていても良い。また、弾性部材４２の数や形状も任意である。さらに、弾性部材４２の配置位置は、図４に例示する位置に限られず、ロール状の家庭用薄葉紙Ｐを載置部材４１の載置面４１ａに載置した場合に生じる載置部材４１における曲線状の弾性変形を妨げない位置であれば良い。
【００３０】
以上に説明した実施形態１の家庭用薄葉紙収納容器１００によれば、家庭用薄葉紙Ｐを載置する載置面４１ａを有する載置部材４１が、平板状の弾性材料から構成されるため、載置部材４１が載置面４１ａに載置された家庭用薄葉紙Ｐの自重によって弾性変形する。すなわち、載置部材４１の載置面４１ａにロール状の家庭用薄葉紙Ｐが載置された場合には、載置部材４１が下方（Ｚ軸方向下側）に凸となるように曲線状に弾性変形し、ロール状の家庭用薄葉紙Ｐにおける回転軸のぶれを制限して、ロール状の家庭用薄葉紙Ｐを安定した姿勢で保持する。また、載置部材４１の載置面４１ａに積層状の家庭用薄葉紙Ｐが載置された場合には、載置部材４１が平板状のまま維持され、積層状の家庭用薄葉紙Ｐを、その底面が平坦となる状態で安定した姿勢で保持する。これにより、ロール状の家庭用薄葉紙Ｐと積層状の家庭用薄葉紙Ｐの何れであっても、好適に収納することができ、スムーズな取り出しを行うことができる。
また、載置部材４１を取出口１４１の方向に押し上げるように弾性的に支持する弾性部材４２が設けられており、この載置部材４１が、載置面４１ａに載置された家庭用薄葉紙Ｐの自重によって縮退するように弾性変形するとともに、載置面４１ａに載置された家庭用薄葉紙Ｐの自重が減るにつれて復元することで載置面４１ａの位置を取出口１４１の方向に移動させる。したがって、家庭用薄葉紙Ｐが引き出された枚数によらず、各家庭用薄葉紙Ｐを容器本体１０の取出口１４１に近接した位置に保つことができることとなって、家庭用薄葉紙Ｐの取出し易さを更に高めることができる
【００３１】
〔実施形態２〕
次に、実施形態２の家庭用薄葉紙収納容器について、図８〜図１２を参照しながら説明する。
ここで、図８は、本発明を適用した好適な実施形態２として例示する家庭用薄葉紙収納容器を示す斜視図である。図９は、実施形態２の家庭用薄葉紙収納容器に備わる底蓋の平面図である。図１０は、図８の家庭用薄葉紙収納容器にロール状の家庭用薄葉紙を収納した場合におけるＢ−Ｂ線での側面断面図であり、図１１は、図８の家庭用薄葉紙収納容器に積層状の家庭用薄葉紙を収納した場合におけるＢ−Ｂ線での側面断面図である。図１２は、図１１の家庭用薄葉紙収納容器から家庭用薄葉紙収納容器が取り出された後における載置面の位置を説明するための図である。なお、図１０〜図１２において、上蓋の図示は省略されており、図１１、図１２において、積層状の家庭用薄葉紙は模式的に図示されている。
【００３２】
実施形態２の家庭用薄葉紙収納容器２００は、載置部５０の構成が、実施形態１の家庭用薄葉紙収納容器１００と異なっており、その他の構成は実施形態１と略同様である。そのため、以下の説明では、実施形態１の家庭用薄葉紙収納容器１００と同様の構成には同一の符号を付してその説明を省略し、載置部５０についてのみ説明する。
【００３３】
底蓋３０の上面部３１の略中央には、図９に示すように、家庭用薄葉紙Ｐが載置される載置部５０が設けられている。この載置部５０は、スポンジ等の一つの弾性部材により構成されており、例えば、容器本体１０と同様に角のとれた略直方体形状に形成され、その外周が容器本体１０の外周よりも一回り小さく形成されている。
この載置部５０は、上面に物体が載置されていない状態において、上下面（Ｚ軸方向に直交する両面）が平坦な形状を呈しており、この上面が、家庭用薄葉紙Ｐを載置する載置面５０ａとなっている。そして、載置面５０ａと上方（Ｚ軸方向上側）との直交性を保持しつつ、取出口１４１の方向に向けて、載置面５０ａに載置された家庭用薄葉紙Ｐを弾性的に支持するようになっている。
【００３４】
この載置部５０には、ロール状の家庭用薄葉紙Ｐと積層状の家庭用薄葉紙Ｐとの何れも載置することができる。
すなわち、載置部５０の載置面５０ａに、ロール状の家庭用薄葉紙Ｐを、ロール軸方向が載置部５０の長手方向（Ｙ軸方向）と一致する向きで載置すると、図１０に示すように、ロール状の家庭用薄葉紙Ｐの自重がＸ軸方向中央領域に集中して作用することとなり、載置部５０の載置面５０ａが下方（Ｚ軸方向下側）に凸となるように曲線状に弾性変形する。これにより、載置部５０の載置面５０ａに載置されたロール状の家庭用薄葉紙ＰのＸ軸方向への移動が制限され、ロール状の家庭用薄葉紙Ｐが安定した姿勢で保持される。したがって、ロール状の家庭用薄葉紙Ｐを取出口１４１から引き出す際に、ロール状の家庭用薄葉紙Ｐの回転軸がぶれず、取出口１４１からの取り出しをスムーズに行うことができる。
【００３５】
また、載置部５０の載置面５０ａに、積層状の家庭用薄葉紙Ｐを、シート折方向である積層体の長辺方向が容器本体１０の長手方向（Ｙ軸方向）と一致する向きで載置すると、家庭用薄葉紙Ｐの自重が載置面５０ａに略均一に作用することとなり、図１１に示すように、載置部５０の載置面５０ａは平坦な状態で維持される。これにより、積層状の家庭用薄葉紙Ｐは、その底面が平坦な状態のまま、安定した姿勢で保持され、取出口１４１からの取り出しをスムーズに行うことができる。
【００３６】
また、この載置部５０は、載置面５０ａに家庭用薄葉紙Ｐが載置されると、家庭用薄葉紙Ｐの自重により弾性変形し、下方（Ｚ軸方向下側）に収縮する。そして、収納部Ｓに収納された家庭用薄葉紙Ｐが取出部１４から容器本体１０の外側へ引き出されると、載置部５０に載置された残りの家庭用薄葉紙Ｐの重量は家庭用薄葉紙Ｐが引き出された分だけ減少するため、図１２に示すように、載置部５０が、復元力により上方（Ｚ軸方向上側）に延伸して、載置面５０ａの位置を取出口１４１の方向（Ｚ軸方向）に移動させ、載置面５０ａに載置された家庭用薄葉紙Ｐを取出口１４１の方向（Ｚ軸方向）に持ち上げる。
そのため、載置部５０に載置された家庭用薄葉紙Ｐはそれぞれ均等に持ち上げられ、その複数枚のうち最上方に位置する家庭用薄葉紙Ｐと、取出口１４１とのＺ軸方向の距離は、家庭用薄葉紙Ｐが引き出された枚数に関係なく、ほぼ一定に保たれることとなる。したがって、ユーザは常に家庭用薄葉紙Ｐを容易に取り出すことが可能となる。
なお、載置部５０の材料は、スポンジに限られることなく、例えば、板ばねにより構成されていても良い。
【００３７】
以上に説明した実施形態２の家庭用薄葉紙収納容器２００によれば、載置部５０が、載置面５０ａを有し、載置面５０ａに載置された家庭用薄葉紙Ｐの自重により弾性変形するとともに、載置面５０ａに載置された家庭用薄葉紙Ｐの自重が減るにつれて復元する一つの弾性部材により構成されているため、簡易な構成で、ロール状の家庭用薄葉紙Ｐと積層状の家庭用薄葉紙Ｐとの両方の取出性に優れた家庭用薄葉紙収納容器２００とすることができる。
【００３８】
〔実施形態３〕
次に、実施形態３の家庭用薄葉紙収納容器について、図１３〜図１７を参照しながら説明する。
ここで、図１３は、本発明を適用した好適な実施形態３として例示する家庭用薄葉紙収納容器を示す斜視図である。図１４は、実施形態３の家庭用薄葉紙収納容器に備わる底蓋の平面図である。図１５は、図１３の家庭用薄葉紙収納容器にロール状の家庭用薄葉紙を収納した場合におけるＣ−Ｃ線での側面断面図であり、図１６は、図１３の家庭用薄葉紙収納容器に積層状の家庭用薄葉紙を収納した場合におけるＣ−Ｃ線での側面断面図である。図１７は、図１６の家庭用薄葉紙収納容器から家庭用薄葉紙収納容器が取り出された後における載置面の位置を説明するための図である。なお、図１５〜図１７において、上蓋の図示は省略されており、図１６、図１７において、積層状の家庭用薄葉紙Ｐは模式的に図示されている。
【００３９】
実施形態３の家庭用薄葉紙収納容器３００は、載置部６０の構成が、実施形態１の家庭用薄葉紙収納容器１００と異なっており、その他の構成は実施形態１と略同様である。そのため、以下の説明では、実施形態１の家庭用薄葉紙収納容器１００と同様の構成には同一の符号を付してその説明を省略し、載置部６０についてのみ説明する。
【００４０】
底蓋３０の上面部３１の略中央には、図１４に示すように、家庭用薄葉紙Ｐが載置される載置部６０が設けられている。この載置部６０は、板ばね等の複数の弾性部材により構成されており、例えば、底蓋３０の上面部３１における二つの対角線上であって中心から等距離の位置に、計４つの板ばねが、上方（Ｚ軸方向上側）に凸となるように湾曲して設けられている。
この載置部６０の上面は、家庭用薄葉紙Ｐを載置する載置面６０ａとなっている。そして、載置部６０を構成するこれらの弾性部材は、同一の材料から構成され、且つ、同一の形態を有しており、載置面６０ａと上方（Ｚ軸方向上側）との直交性を保持しつつ、取出口１４１の方向に向けて、載置面６０ａに載置された家庭用薄葉紙Ｐを弾性的に支持するようになっている。
【００４１】
この載置部６０には、ロール状の家庭用薄葉紙Ｐと積層状の家庭用薄葉紙Ｐの何れも載置することができる。
すなわち、載置部６０の載置面６０ａに、ロール状の家庭用薄葉紙Ｐを、ロール軸方向が載置部６０の長手方向（Ｙ軸方向）と一致する向きで載置すると、図１５に示すように、ロール状の家庭用薄葉紙Ｐの自重がＸ軸方向中央領域に集中して作用することとなり、４つの弾性部材がそれぞれ、Ｘ軸方向中心領域に近いほど収縮するように弾性変形する。これにより、４つの弾性部材から成る載置部６０の載置面６０ａに載置されたロール状の家庭用薄葉紙ＰのＸ軸方向への移動が制限され、ロール状の家庭用薄葉紙Ｐが安定した姿勢で保持される。したがって、ロール状の家庭用薄葉紙Ｐを取出口１４１から引き出す際に、ロール状の家庭用薄葉紙Ｐの回転軸がぶれず、取出口１４１からの取り出しをスムーズに行うことができる。
【００４２】
また、載置部６０の載置面６０ａに、積層状の家庭用薄葉紙Ｐを、シート折方向である積層体の長辺方向が容器本体１０の長手方向（Ｙ軸方向）と一致する向きで載置すると、家庭用薄葉紙Ｐの自重が４つの弾性部材における載置面６０ａに略均一に作用することとなり、図１６に示すように、載置部６０の載置面６０ａは平坦な状態で維持される。これにより、積層状の家庭用薄葉紙Ｐは、その底面が平坦な状態のまま、安定した姿勢で保持され、取出口１４１からの取り出しをスムーズに行うことができる。
【００４３】
また、この載置部６０は、載置面６０ａに家庭用薄葉紙Ｐが載置されると、家庭用薄葉紙Ｐの自重により弾性変形し、下方（Ｚ軸方向下側）に収縮する。そして、収納部Ｓに収納された家庭用薄葉紙Ｐが取出部１４から容器本体１０の外側へ引き出されると、載置部６０に載置された残りの家庭用薄葉紙Ｐの重量は家庭用薄葉紙Ｐが引き出された分だけ減少するため、図１７に示すように、載置部６０が、復元力により上方（Ｚ軸方向上側）に延伸して、載置面６０ａの位置を取出口１４１の方向（Ｚ軸方向上側）に移動させ、載置面６０ａに載置された家庭用薄葉紙Ｐを取出口１４１の方向（Ｚ軸方向上側）に持ち上げる。
そのため、載置部６０に載置された家庭用薄葉紙Ｐはそれぞれ均等に持ち上げられ、その複数枚のうち最上方に位置する家庭用薄葉紙Ｐと、取出口１４１とのＺ軸方向の距離は、家庭用薄葉紙Ｐが引き出された枚数に関係なく、ほぼ一定に保たれることとなる。したがって、ユーザは常に家庭用薄葉紙Ｐを容易に取り出すことが可能となる。
なお、載置部６０を構成する弾性部材の材料は、板ばねに限られることなく、例えば、スポンジであっても良い。また、載置部６０を構成する弾性部材の数や配置位置も任意である。
【００４４】
以上に説明した実施形態３の家庭用薄葉紙収納容器３００によれば、載置部６０が、載置面６０ａを有し、載置面６０ａに載置された家庭用薄葉紙Ｐの自重により弾性変形するとともに、載置面６０ａに載置された家庭用薄葉紙Ｐの自重が減るにつれて復元する複数の弾性部材により構成されているため、簡易な構成で、ロール状の家庭用薄葉紙Ｐと積層状の家庭用薄葉紙Ｐとの両方の取出性に優れた家庭用薄葉紙収納容器３００とすることができる。
また、載置部６０は複数の弾性部材により形成されており、家庭用薄葉紙Ｐと載置部材６０との接触面積が小さくなっている。そのため、取出口１４１からロール状の家庭用薄葉紙Ｐを引き出す際の回転の摩擦を小さくして、ロール状の家庭用薄葉紙Ｐの取出性を更に高めることができる。
【００４５】
〔実施形態４〕
次に、実施形態４の家庭用薄葉紙収納容器について、図１８〜図２２を参照しながら説明する。
ここで、図１８は、本発明を適用した好適な実施形態４として例示する家庭用薄葉紙収納容器を示す斜視図である。図１９は、実施形態４の家庭用薄葉紙収納容器に備わる底蓋の平面図である。図２０は、図１８の家庭用薄葉紙収納容器にロール状の家庭用薄葉紙を収納した場合におけるＤ−Ｄ線での側面断面図であり、図２１は、図１８の家庭用薄葉紙収納容器に積層状の家庭用薄葉紙を収納した場合におけるＤ−Ｄ線での側面断面図である。図２２は、図２１の家庭用薄葉紙収納容器から家庭用薄葉紙収納容器が取り出された後における載置面の位置を説明するための図である。なお、図２０〜図２２において、上蓋の図示は省略されており、図２１、図２２において、積層状の家庭用薄葉紙Ｐは模式的に図示されている。
【００４６】
実施形態４の家庭用薄葉紙収納容器４００は、載置部７０の構成が、実施形態１の家庭用薄葉紙収納容器１００と異なっており、その他の構成は実施形態１と略同様である。そのため、以下の説明では、実施形態１の家庭用薄葉紙収納容器１００と同様の構成には同一の符号を付してその説明を省略し、載置部７０についてのみ説明する。
【００４７】
底蓋３０の上面部３１の略中央には、図１９に示すように、家庭用薄葉紙Ｐが載置される載置部７０が設けられている。この載置部７０は、板ばね等の弾性部材により構成されており、例えば、２つの板ばねが、底蓋３０の上面部３１におけるＸ軸方向中心線から等距離の位置に設けられている。
この載置部７０の上面及びＸ軸中心側の側面は、家庭用薄葉紙Ｐを載置する載置面７０ａとなっている。そして、載置部７０を構成するこれらの弾性部材は、同一の材料から構成され、且つ、同一の形態を有しており、載置面７０ａに載置された家庭用薄葉紙Ｐを取出口１４１の方向に向けて弾性的に支持するようになっている。
【００４８】
この載置部７０には、ロール状の家庭用薄葉紙Ｐと積層状の家庭用薄葉紙Ｐの何れも載置することができる。
すなわち、載置部７０の載置面７０ａに、ロール状の家庭用薄葉紙Ｐを、ロール軸方向が載置部７０の長手方向（Ｙ軸方向）と一致する向きで載置すると、図２０に示すように、ロール状の家庭用薄葉紙Ｐの自重がＸ軸方向中央領域に集中して作用することとなり、２つの弾性部材が側面視にて逆ハ字状に弾性変形し、ロール状の家庭用薄葉紙ＰをＸ軸方向両側から挟み込んで、Ｘ軸中心側且つＸ軸方向上側へ押さえつけるように付勢する。これにより、２の弾性部材から成る載置部７０の載置面７０ａに載置されたロール状の家庭用薄葉紙ＰのＸ軸方向への移動が制限され、ロール状の家庭用薄葉紙Ｐが安定した姿勢で保持される。したがって、ロール状の家庭用薄葉紙Ｐを取出口１４１から引き出す際に、ロール状の家庭用薄葉紙Ｐの回転軸がぶれず、取出口１４１からの取り出しをスムーズに行うことができる。
【００４９】
また、載置部７０の載置面７０ａに、積層状の家庭用薄葉紙Ｐを、シート折方向である積層体の長辺方向が容器本体１０の長手方向（Ｙ軸方向）と一致する向きで載置すると、家庭用薄葉紙Ｐの自重が２つの弾性部材における載置面７０ａに略均一に作用することとなり、図２１に示すように、載置部７０の載置面７０ａは平坦な状態で維持される。これにより、積層状の家庭用薄葉紙Ｐは、その底面が平坦な状態のまま、安定した姿勢で保持され、取出口１４１からの取り出しをスムーズに行うことができる。
【００５０】
また、この載置部７０は、載置面７０ａに家庭用薄葉紙Ｐが載置されると、家庭用薄葉紙Ｐの自重により弾性変形し、下方（Ｚ軸方向下側）に収縮する。そして、収納部Ｓに収納された家庭用薄葉紙Ｐが取出部１４から容器本体１０の外側へ引き出されると、載置部７０に載置された残りの家庭用薄葉紙Ｐの重量は家庭用薄葉紙Ｐが引き出された分だけ減少するため、図２２に示すように、載置部７０が、復元力により上方（Ｚ軸方向上側）に延伸して、載置面７０ａの位置を取出口１４１の方向（Ｚ軸方向上側）に移動させ、載置面７０ａに載置された家庭用薄葉紙Ｐを取出口１４１の方向（Ｚ軸方向上側）に持ち上げる。
そのため、載置部７０に載置された家庭用薄葉紙Ｐはそれぞれ均等に持ち上げられ、その複数枚のうち最上方に位置する家庭用薄葉紙Ｐと、取出口１４１とのＺ軸方向の距離は、家庭用薄葉紙Ｐが引き出された枚数に関係なく、ほぼ一定に保たれることとなる。したがって、ユーザは常に家庭用薄葉紙Ｐを容易に取り出すことが可能となる。
なお、載置部７０を構成する弾性部材の材料は、板ばねに限られることなく、例えば、スポンジであっても良い。また、載置部７０を構成する弾性部材の数や配置位置も任意である。
【００５１】
以上に説明した実施形態４の家庭用薄葉紙収納容器４００によれば、載置部７０が、載置面７０ａを有し、載置面７０ａに載置された家庭用薄葉紙Ｐの自重により弾性変形するとともに、載置面７０ａに載置された家庭用薄葉紙Ｐの自重が減るにつれて復元する複数の弾性部材により構成されているため、簡易な構成で、ロール状の家庭用薄葉紙Ｐと積層状の家庭用薄葉紙Ｐとの両方の取出性に優れた家庭用薄葉紙収納容器４００とすることができる。
【００５２】
なお、本発明の適用は上述した実施形態に限定されることなく、本発明の趣旨を逸脱しない範囲で適宜変更可能である。
【００５３】
例えば、上記実施形態においては、収納容器の形状を略直方体形状としているが、収納容器の形状はこれに限られず、ロール状の家庭用薄葉紙Ｐと積層状の家庭用薄葉紙Ｐとを収納可能な形状であれば如何なる形状でも良い。
また、上記実施形態においては、上蓋２０を容器本体１０と一体成形されたものとしたが、容器本体１０とは別体に形成され、回動軸により容器本体１０に取り付けられるものであっても良い。
また、上記実施形態においては、家庭用薄葉紙Ｐを取り出すための取出口１４１が互いに交差する２本の切り込みにより形成されていることとしたが、取出口１４１を構成する切り込みの数は１本であっても、または、３本以上であっても良い。
【図面の簡単な説明】
【００５４】
【図１】本発明を適用した好適な実施形態１として例示する家庭用薄葉紙収納容器を示す斜視図である。
【図２】図１の家庭用薄葉紙収納容器に、ロール状の家庭用薄葉紙を収納した状態を示す斜視図であり、
【図３】図１の家庭用薄葉紙収納容器に、積層状の家庭用薄葉紙を収納した状態を示す斜視図である。
【図４】実施形態１の家庭用薄葉紙収納容器に備わる底蓋の平面図である。
【図５】図１の家庭用薄葉紙収納容器にロール状の家庭用薄葉紙を収納した場合におけるＡ−Ａ線での側面断面図である。
【図６】図１の家庭用薄葉紙収納容器に積層状の家庭用薄葉紙を収納した場合におけるＡ−Ａ線での側面断面図である。
【図７】図６の家庭用薄葉紙収納容器から家庭用薄葉紙収納容器が取り出された後における載置面の位置を説明するための図である。
【図８】本発明を適用した好適な実施形態２として例示する家庭用薄葉紙収納容器を示す斜視図である。
【図９】実施形態２の家庭用薄葉紙収納容器に備わる底蓋の平面図である。
【図１０】図８の家庭用薄葉紙収納容器にロール状の家庭用薄葉紙を収納した場合におけるＢ−Ｂ線での側面断面図である。
【図１１】図８の家庭用薄葉紙収納容器に積層状の家庭用薄葉紙を収納した場合におけるＢ−Ｂ線での側面断面図である。
【図１２】図１１の家庭用薄葉紙収納容器から家庭用薄葉紙収納容器が取り出された後における載置面の位置を説明するための図である。
【図１３】本発明を適用した好適な実施形態３として例示する家庭用薄葉紙収納容器を示す斜視図である。
【図１４】実施形態３の家庭用薄葉紙収納容器に備わる底蓋の平面図である。
【図１５】図１３の家庭用薄葉紙収納容器にロール状の家庭用薄葉紙を収納した場合におけるＣ−Ｃ線での側面断面図である。
【図１６】図１３の家庭用薄葉紙収納容器に積層状の家庭用薄葉紙を収納した場合におけるＣ−Ｃ線での側面断面図である。
【図１７】図１６の家庭用薄葉紙収納容器から家庭用薄葉紙収納容器が取り出された後における載置面の位置を説明するための図である。
【図１８】本発明を適用した好適な実施形態４として例示する家庭用薄葉紙収納容器を示す斜視図である。
【図１９】実施形態４の家庭用薄葉紙収納容器に備わる底蓋の平面図である。
【図２０】図１８の家庭用薄葉紙収納容器にロール状の家庭用薄葉紙を収納した場合におけるＤ−Ｄ線での側面断面図である。
【図２１】図１８の家庭用薄葉紙収納容器に積層状の家庭用薄葉紙を収納した場合におけるＤ−Ｄ線での側面断面図である。
【図２２】図２１の家庭用薄葉紙収納容器から家庭用薄葉紙収納容器が取り出された後における載置面の位置を説明するための図である。
【符号の説明】
【００５５】
１００  家庭用薄葉紙収納容器
１０    容器本体
１４１  取出口
４０    載置部
４１    載置部材
４１ａ  載置面
４２    弾性部材
２００  家庭用薄葉紙収納容器
５０    載置部
５０ａ  載置面
３００  家庭用薄葉紙収納容器
６０    載置部
６０ａ  載置面
４００  家庭用薄葉紙収納容器
７０    載置部
７０ａ  載置面
Ｐ      家庭用薄葉紙
【図１】
2010083517.tif 000003
【図２】
2010083517.tif 000004
【図３】
2010083517.tif 000005
【図４】
2010083517.tif 000006
【図５】
2010083517.tif 000007
【図６】
2010083517.tif 000008
【図７】
2010083517.tif 000009
【図８】
2010083517.tif 000010
【図９】
2010083517.tif 000011
【図１０】
2010083517.tif 000012
【図１１】
2010083517.tif 000013
【図１２】
2010083517.tif 000014
【図１３】
2010083517.tif 000015
【図１４】
2010083517.tif 000016
【図１５】
2010083517.tif 000017
【図１６】
2010083517.tif 000018
【図１７】
2010083517.tif 000019
【図１８】
2010083517.tif 000020
【図１９】
2010083517.tif 000021
【図２０】
2010083517.tif 000022
【図２１】
2010083517.tif 000023
【図２２】
2010083517.tif 000024